(57)【要約】【課題】テープ引出口をスライド開閉するドアを備えた磁気テープカートリッジにおいて、ドアを開放する時のドアばねのずり上がりを確実に防止して、ドアの開放不良を一掃し、常に適正なドア開閉を実現する。【解決手段】テープ引出口４をスライド開閉するドア８と、ドア８を閉じ付勢するドアばね１２とを備えている。ドアばね１２は、コイル部２３・２３と、一対のばね腕２５・２６と、各ばね腕２５・２６の突端に設けた掛止爪２７・２８とを一体に備えている。掛止爪２７をばね掛け部２０に掛け、ドアばね１２のずり上がりを規制する爪受け面２１をドア８に形成し、掛止爪２８ばねをばね掛け部３０に掛け、掛止爪２８のずり上がりを規制する上ケース１aから連続してなる突起３２を形成し、ドア８を開放するときのドアばね１２のずり上がりを規制する。【選択図】図１
2007080456.tif 000002
【特許請求の範囲】
【請求項１】
上ケースと下ケースとを蓋合わせ状に結合してなるケース本体と、前記ケース本体の周壁に設けたテープ引出口と、前記テープ引出口を開閉するために、前記ケース本体に往復スライド自在に案内支持されるドアと、前記ドアを閉じ付勢するドアばねとを含む磁気テープカートリッジにおいて、
前記ドアばねは、コイル部と、前記コイル部からそれぞれ下向きに連出された一対のばね腕とを一体に備えており、
一方の前記ばね腕は前記ドアに設けたばね掛け部に掛け止め、他方の前記ばね腕は前記ケース本体に設けたばね掛け部に掛け止めてあり、
前記上ケースに、前記ばね腕のずり上がりを規制して、ドア開放時に前記コイル部の上周面が前記上ケースの上壁内面に接触するのを防ぐ規制構造が形成されていることを特徴とする磁気テープカートリッジ。
【請求項２】
前記上ケースおよび前記ドアに、それぞれ前記規制構造が設けられている請求項１記載の磁気テープカートリッジ。
【請求項３】
前記上ケースの前期規制構造が上ケースのガイド壁から連続してなる突起であり、前記ばね腕の先端には掛止爪が形成されており、
前記ケース本体に設けたばね掛け部が縦溝状であり、前記縦溝状のばね掛け部には前記掛止爪が掛けられており、
前記突起は前記掛止爪を上から押さえつけるよう形成されていることを特徴とした請求項１，２に記載の磁気テープカートリッジ。
【請求項４】
前記突起が、前記下ケースのガイド壁のカートリッジ本体内側面から接していることを特徴とする請求項３に記載の磁気テープカートリッジ。
【請求項５】
前記突起の少なくとも一部が、前記縦溝上のばね掛け部に嵌合することを特徴とした請求項３記載の磁気テープカートリッジ。
【発明の詳細な説明】
【技術分野】
【０００１】
本発明は、テープ引出口をスライド開閉するドアを備えている磁気テープカートリッジに関する。
【背景技術】
【０００２】
この種のテープカートリッジとして、例えば特許文献１では、テープ引出口をスライド開閉するためのドアがケース本体に組み込まれて、ドアばねで閉じ勝手に付勢されている。ドアばねは、めがね枠のように２個のコイル部を連続形成し、各コイル部から一対のばね腕を連出してあり、ドア用のガイド溝に配置してある。片方のばね腕はドアに形成したばね掛け溝（ばね掛け部）に掛け止め、他方のばね腕はケース内部のガイド壁に形成したばね掛け溝（ばね掛け部）に掛け止めてある。これらのばね掛け溝はいずれも縦長の垂直溝として形成されている。
【０００３】
同様のドア構造は特許文献２にもみられる。そこではドアの側端に、側端縁が開口するコ字状の切欠（ばね掛け部）を形成し、切欠の奥端面で片方のばね腕を受け止めている。この場合にも、ばね腕を受け止める奥端面と、ガイド壁に形成したばね掛け溝（ばね掛け部）とはそれぞれ垂直に形成してある。
【０００４】
【特許文献１】特開平１１−２６５５６０号公報（段落番号００１６、図１）
【特許文献２】特開２００３−５１１７２号公報（段落番号００１４、図２）
【発明の開示】
【発明が解決しようとする課題】
【０００５】
上記のように、２個のコイル部と一対のばね腕を一体に備えたドアばねは、ドアを開放操作した状態において、一対のばね腕が逆ハ字状に傾斜するため、ドアばねの全体が上方へずり上がる向きのばね反力を受ける。しかも、ドアばねはケース本体の内部において上下動する余地がある。そのため、ドアの開閉を繰り返すと、ドアばねが徐々に上方へずり上がり、コイル部の上周面がガイド溝に臨む上ケースの上壁で受け止められたり、あるいはドアばねの全体が傾斜姿勢で上壁に受け止められたりする。
【０００６】
上記のようにドアばねがずり上がったり、あるいはドアばねの全体が傾斜した状態のままで、ドアを開放してドアばねを巻き込み変形させると、ばね腕の連出基端部分がケース上壁で拘束されることがある。その結果、ドアばねの張力が過大となり、開放途中のドアが引っ掛かって完全に開放できなくなるなど、テープドライブへの装填時に機器故障を惹き起こすおそれがある。
【０００７】
本発明の目的は、ドアを開放する時のドアばねのずり上がりを確実に防止して、ドアばねのずり上がりに伴うドアの引っ掛かりや、ドアの開放不良などを一掃し、常に適正にドア開閉が行える磁気テープカートリッジを提供することにある。本発明の目的は、ドアやケースの構造、あるいは金型の構造を大幅に変更する必要もなくドアばねのずり上がりを防止でき、したがってより低コストで機能を充足し、信頼性を向上できる磁気テープカートリッジを提供することにある。
【課題を解決するための手段】
【０００８】
本発明の磁気テープカートリッジは、上ケース１ａと下ケース１ｂとを蓋合わせ状に結合してなるケース本体１の周壁にテープ引出口４が形成されており、テープ引出口４を開閉するドア８が、ケース本体１に往復スライド自在に案内支持されて、ドアばね１２で閉じ付勢されている。ドアばね１２は、コイル部２３・２３と、コイル部２３・２３からそれぞれ下向きに連出された一対のばね腕２５・２６とを一体に備えている。一方のばね腕２５は、ドア８に設けたばね掛け部２０に掛け、他方のばね腕２６は下ケース１ｂに設けたばね掛け部３０に掛ける。以て、上ケース１aに、前記ばね腕２５・２６のずり上がりを規制して、ドア開放時にコイル部２３・２３の上周面が上ケース１ａの上壁内面に接触するのを防ぐ規制構造が形成されていることに特徴を有する。
【０００９】
前記規制構造は、上ケース１aおよびドア８にそれぞれ設けることができる。具体的には、前記上ケースの前記規制手段として、上ケースのガイド壁から連続してなる突起であり、図１に示すように、下ケース１ｂの縦溝状のばね掛け部３０に、前記ばね腕２６の突端に設けた掛止爪２８を掛け、前記突起は前記掛止爪２８を上から押さえつけるよう形成し、前記ドア８の前記規制構造として、ドア８のばね掛け部２０に、ばね腕２５に設けた掛止爪２７を受け止める爪受け面２１を形成している。ドア閉じ状態における爪受け面２１は傾斜させてある。
【発明の効果】
【００１０】
本発明では、テープ引出口４をスライド開閉するドア８を備えた磁気テープカートリッジにおいて、ドアばね１２の一方のばね腕２５をドア８側のばね掛け部２０に掛け止め、ドアばね１２の他方のばね腕２６をケース本体１側のばね掛け部３０に掛け止めることにより、ドア８を閉じ付勢した。そのうえで、上ケース１aに規制構造を設けたので、ドア８を開放する際のドアばね１２のずり上がりを確実に防止して、コイル部２３・２３の上周面が上ケース１ａの上壁内面に接触するのをよく防止できる。これにより、ドアばね１２のずり上がりに伴うドア８の引っ掛かりや、ドア８の開閉不良などを一掃して、常に適正にドア開閉を行え、信頼性に優れた磁気テープカートリッジが得られる。
【００１１】
また、上ケース1aの前記規制構造として、図６に示すように、上ケース１aから連続してケース下方向に伸びる突起３２を下ケース１ｂの溝状のばね掛け部に嵌り込むように形勢されていても、ドアばね１２ずり上がりを防ぐことができる。
【発明を実施するための最良の形態】
【００１２】
（実施例１）図１ないし図５は本発明に係る単リール型の磁気テープカートリッジの実施例１を示す。図２において磁気テープカートリッジは、角箱状のプラスチック製ケース本体１と、ケース本体１の内部に収容される１個のテープリール２と、テープリール２に巻装される磁気テープ３とを備えている。ケース本体１は、上下に分割形成された上ケース１ａと下ケース１ｂとを蓋合わせ状に結合して形成してある。
【００１３】
ケース本体１の前壁の一側端には、テープ引出口４を有し、これの内部に軸状のテープ引出具５が位置する。テープ引出具５は、磁気テープ３の繰り出し端に装着されていて、上下の両端軸部がケース本体１の内面上下に設けた弾性変形可能な保持部６・６で係合捕捉されることにより、テープ引出口４に臨む状態で起立姿勢で待機保持される（図４参照）。
【００１４】
不使用時にテープ引出口４を閉じておくために、スライド開閉するドア８が、ケース本体１の前面内部に設けられている。ケース本体１には、これの前壁９と、前壁９の内方に設けたガイド壁１０との間にガイド溝１１が形成されており、ドア８はガイド溝１１に配置されて、往復スライド自在に案内支持される。図３および図５においてガイド溝１１に収容したドアばね１２で閉じ勝手に移動付勢されている。
【００１５】
図１においてドア８は、テープ引出口４を開閉する主面壁１５と、主面壁１５の開放始端側（図１の左側）に突設したばね受け壁１６とを一体に形成した板状のプラスチック成形品である。ばね受け壁１６の上面は、主面壁１５の上面より低い位置に設けられて段落ち部分１７を有し、この段落ち部分１７の側端に連続して下り傾斜するガイド面１８が形成してある。
【００１６】
ばね受け壁１６には、ドアばね１２の一方のばね腕２５を掛け止めるためのばね掛け部２０が形成されている。ばね掛け部２０は、ばね受け壁１６の側端で開口する台形状の凹みとして形成してあり、その奥端の爪受け面２１でばね腕２５の突端の掛止爪２７を受け止める。先に説明したガイド面１８の下端は、ばね掛け部２０の側端開口縁に連続している。
【００１７】
図１においてドアばね１２は、左右に隣接する２個のコイル部２３・２３と、両コイル部２３・２３の前端どうしを接続する橋絡部２４と、各コイル部２３・２３の後端からそれぞれ下向きに連出された一対のばね腕２５・２６とを一体に形成した、ばね線材製の捻りコイルばねからなり、一対のばね腕２５・２６が拡開する向きにばね弾性を発揮する。各ばね腕２５・２６の突端には、それぞれＬ字状の掛止爪２７・２８を折り曲げ形成してある。
【００１８】
図１に向かって右側のばね腕２５は、ドア８のばね受け壁１６に設けたばね掛け部２０に掛け止め、左側のばね腕２６は、ケース本体１に設けたばね掛け部３０に掛け止める。これにより、ドア８はドアばね１２のばね力を受けて閉じ側へ移動付勢され、不使用時にテープ引出口４を閉止する。この状態でのドアばね１２の両コイル部２３・２３は、図１に示すように、上ケース１ａの上壁から離れている。
【００１９】
ケース本体１の前壁９とガイド壁１０とは、それぞれ上ケース１ａおよび下ケース１ｂと一体にプラスチック形成されて、上下ケース１ａ・１ｂの接合面において上下に連続して、ドア８をスライド案内する。ドアばね１２の他方のばね腕２６（図１の左側）を掛け止めるために、下ケース１ｂ側のガイド壁１０には溝状のばね掛け部３０が設けられている。
【００２０】
ドア８を開閉するときドアばね１２が徐々にずり上がるのを防ぐために、ドア８側のばね掛け部２０と、ガイド壁１０側のばね掛け部３０とにそれぞれ規制構造が設けられている。この実施例では、ドア８を閉じた状態において、ドア８のばね掛け部２０の爪受け面２１を傾斜させ、上ケース１aのガイド壁１０aから突起３２を設けて規制構造とした。詳しくは、ドア８側の爪受け面２１を図１に向かって左上がり状に傾斜させる。そして突起３２は上ケース１aから連続してカートリッジ下面に向かって略垂直に伸びており、ガイド壁１０の下ケース部１０ｂのカートリッジ本体内側面から接していて、掛止爪２８を上から押さえつけるよう形成されている。
上記のような構造をとると、ドア開閉時にドア爪受け面２１と突起３２とで掛止爪２７・２８が上方へずり上がるのを防止する。
【００２１】
ドア８にも規制構造を設けることで、例えば、落下衝撃を受けて掛止爪２７が上方へ位置ずれしたとしても、ドア８を開閉することにより、掛止爪２７は先の下向きの分力によって、再び爪受け面２１の下端部分へ押し戻される。
【００２２】
磁気テープカートリッジをテープドライブに差し込み装填すると、ドア８の右側端がテープドライブ側の操作突起に当たって受け止められる。引き続き磁気テープカートリッジを差し込み操作することにより、ケース本体１がテープドライブ内方へ進入移動する結果、ドア８はドアばね１２の付勢力に抗して開放操作できる。このとき、ドアばね１２のコイル部２３は、ガイド面１８に案内されながら段落ち部分１７へと円滑に乗り上がる。
【００２３】
ドア８が開放移動する間に、ドアばね１２のばね腕２５・２６どうしは接近する向きに弾性変形し、両ばね腕２５・２６の縦方向の寸法成分が増えた分だけコイル部２３が上方へ移動する。しかし、先に説明したように、掛止爪２７は下向きのばね反力を受け、掛止爪２８は突起３２によって固定されるので、常に爪受け面２１・３１の下端部分に保持されている。したがって、ドア８を開放し始めてから、図４に示すように完全に開放操作し終わるまでの間に、コイル部２３の上周面が上ケース１ａの上壁に接触することはない。これにより、ドアばね１２のずり上がりに伴うドア８の開放不良を一掃して、常に適正にドア開閉が行える。
【００２４】
（実施例２）図６は規制構造を変更した本発明の実施例２を示す。ここでは突起３２が縦溝状のばね掛け部３０と勘合するようにした。さらに、ばね受け壁１６にコ字状の凹みからなるばね掛け部２０を形成し、その下部に掛止爪２７を受け入れる爪受け溝３４を形成した。
【００２５】
このように、縦溝状のばね掛け部３０に嵌りこむ形の突起にしても、掛止爪２８の縦向き上方への移動規制でき、横向きの爪受け溝３４に各掛止爪２７を掛け止めてあると、ドア８を開閉するとき掛止爪２７が上方へ移動しようとしても、爪受け溝３４の上側の溝壁で掛止爪２７を受け止めて移動規制できるので、コイル部２３の上周面が上ケース１ａの上壁に接するのを確実に防止できる。他の構造は先の実施例１と同じであるので、同じ部材に同じ符号を付してその説明を省略する。以下の実施例においても同様に扱う。
【００２６】
本発明は上記の実施例に限られたものではなく、例えば実施例１における突起３２にカートリッジケース本体１外側へ向けてリブを突設しそのリブをばね掛け部に嵌り込むようにしても良い。他にも、実施例１のドア８の規制構造と実施例２の上ケース１aの規制構造を組み合わせても構わない。上ケース１aの規制構造である突起３２の高さに関しても、常に縦溝状のばね掛け部の深さと同じ位か少し低いくらいが好ましいが、ドアばねがケース上面にあたらないよう規制できる高さであればよい。ドアばね１２は、コイル部２３が一つでもよい。
【図面の簡単な説明】
【００２７】
【図１】テープ引出口のドア構造を示す縦断正面図である。
【図２】磁気テープカートリッジの斜視図である。
【図３】図１におけるＡ−Ａ線断面図である。
【図４】ドアを開放した状態の縦断正面図である。
【図５】図１におけるＢ−Ｂ線断面図である。
【図６】実施例２に係るドア構造を示す縦断正面図である。
【符号の説明】
【００２８】
１    ケース本体
４    テープ引出口
８    ドア
９    ケース本体の前壁
１０    ガイド壁
１１    ガイド溝
１２    ドアばね
２０    ドア側のばね掛け部
２１    ドア側の爪受け面
２３    ドアばねのコイル部
２５・２６    ドアばねのばね腕
２７・２８    掛止爪
３０    ケース本体側のばね掛け部
３１    ケース本体側の爪受け面
３２    上ケースの規制突起
【図１】
2007080456.tif 000003
【図２】
2007080456.tif 000004
【図３】
2007080456.tif 000005
【図４】
2007080456.tif 000006
【図５】
2007080456.tif 000007
【図６】
2007080456.tif 000008